(57)【要約】【課題】天井裏に存在するデッドスペースを、収納スペースとして有効に活用できる天井収納付き浴室ユニットを提供する。【解決手段】天井面１の上方に向けて凹部を形成し且つ天井面１と一体に形成した収納部１１と、収納部１１の内部に収納する収納物Ｍを載置する棚板２と、を設けた。【選択図】        図１
2009235743.tif 000002
【特許請求の範囲】
【請求項１】
天井面の上方に向けて凹部を形成し且つ天井面と一体に形成した収納部と、収納部の内部に収納する収納物を載置する棚板と、を設けて成ることを特徴とする天井収納付き浴室ユニット。
【請求項２】
前記棚板は下支持片の一端を回動自在に軸支すると共に、収納部には上支持片の一端を回動自在に軸支して、且つ該下支持片の他端と該上支持片の他端を回動自在に軸支したことを特徴とする請求項１記載の天井収納付き浴室ユニット。
【請求項３】
前記上支持片にはダンパ又はばね材の一端を取着する上取着部を備え、前記下支持片にはダンパ又はばね材の他端を取着する下取着部を備え、該上取着部と該下取着部とをダンパ又はばね材にて架設したことを特徴とする請求項２記載の天井収納付き浴室ユニット。
【請求項４】
前記棚板と前記下支持片とを着脱自在に取着したことを特徴とする請求項２乃至請求項３のいずれか１項に記載の天井収納付き浴室ユニット。
【発明の詳細な説明】
【技術分野】
【０００１】
本発明は、浴室ユニットの天井に設置される収納部に関するものである。
【背景技術】
【０００２】
従来の浴室ユニット７においては、図５に示すように、浴槽７２を設置するための浴槽側床パン７１１と、該浴槽側床パン７１１に隣接した洗い場側床パン７１２とで浴室床７１を構成し、浴槽側床パン７１１の上面に浴槽７２が載置されている。また、洗い場側床パン７１２の浴槽７２側の端部には、洗い場側の浴槽７２側面を閉塞するためのエプロン７３を設置している。さらに、洗い場側床パン７１２と浴槽側床パン７１１とで形成された前記浴室床７１の外周縁辺からは浴室ユニット７の壁パネル７４が立設すると共に、その上端面に天井面１を載設して浴室ユニット７が構成されている。なお、図中の７５は排水部を示し、７６は壁面に配設された鏡面を示し、７７は給水栓を示し、７８はシャワーを示している。
【０００３】
この浴室ユニット７の壁パネル７４には、シャンプーや石鹸といった浴室内の小物を載置する棚８が設置されており、浴室内の小物を常時載置しておくスペースとして使用されている。（例えば特許文献１参照）
ところで、上記の浴室ユニット７の天井面１の上方には、浴室内の高湿な空気を換気する換気ダクトが配設されるため、天井面１の上方には上下方向に相当のスペースの確保がなされている。しかし、実際に該換気ダクトの配設に必要な範囲は、該換気ダクトが有する幅を確保しつつ外部に向かって配設される範囲とその高さ分のみが必要なものであるため、使用されていない空間が多く存在するというものであった。
【特許文献１】特開２００２−１４３０２１号公報
【発明の開示】
【発明が解決しようとする課題】
【０００４】
このような従来の浴室ユニット７において、浴室内の収納スペースとしての棚８は、その棚８を大きく形成して収納スペースを多く確保した場合は、入浴者が身体を洗ったりするために使用できる空間が狭くなるため、該棚８を大きく形成することには限界があるものである。すなわち、入浴者が快適に使用できる空間を追求すればその反面、収納スペースが少なくなってしまう問題を有していた。
【０００５】
本発明は、上記従来の問題に鑑みてなされたものであり、その目的とするところは、天井裏に存在するデッドスペースを、収納スペースとして有効に活用できる天井収納付き浴室ユニットを提供することにある。
【課題を解決するための手段】
【０００６】
上記課題を解決するために請求項１に係る発明にあっては、天井面１の上方に向けて凹部を形成し且つ天井面１と一体に形成した収納部１１と、収納部１１の内部に収納する収納物Ｍを載置する棚板２と、を設けて成ることを特徴とするものである。
【０００７】
このように構成したことで、天井面１の上方に存在するデッドスペースを収納スペースとして活用することができるので、更に多くの収納スペースの確保を図ることができるものである。さらに、天井面１に設けた凹部に収納物Ｍを収納する構造を採用したので、収納物Ｍが入浴者の視界に晒されず外観上良好となるものである。また、浴室ユニット７の天井面１と一体に収納部１１を形成したので、据付作業時において作業性が向上すると共に高湿な浴室内の空気が外部に漏れる心配がなくなる。
【０００８】
また、請求項２に係る発明にあっては、請求項１に係る発明において、前記棚板２は下支持片３の一端を回動自在に軸支すると共に、収納部１１には上支持片４の一端を回動自在に軸支して、且つ該下支持片３の他端と該上支持片４の他端を回動自在に軸支したことを特徴とするものである。
【０００９】
このように構成したことで、上述した効果に加えて、棚板２を下降させた状態でシャンプー等の小物を棚板２上に載置して、その後収納部１１に収納できるので、背丈の低い人でもいす等の台を使用することなく容易に収納物Ｍを収納できる。
【００１０】
また、請求項３に係る発明にあっては、請求項２に係る発明において、前記上支持片４にはダンパ又はばね材６の一端を取着する上取着部４１を備え、前記下支持片３にはダンパ又はばね材６の他端を取着する下取着部３１を備え、該上取着部４１と該下取着部３１とをダンパ又はばね材６にて架設したことを特徴とするものである。
【００１１】
このように構成したことで、特に棚板２を下降させる際の下降速度を緩和させることが可能となるので、使用者の予期しない事故を防止できる。さらに、ばね材６を使用した場合にあっては、ばね材６による力が上昇時に補助的に働くので、棚板２を容易に上昇させることが可能となる。
【００１２】
また、請求項４に係る発明にあっては、請求項２乃至請求項３のいずれか１項に係る発明において、前記棚板２と前記下支持片３とを着脱自在に取着したことを特徴とするものである。
【００１３】
このように構成したことで、ヌメリやカビ等の発生しやすい棚板２を取り外して、清掃及び水洗いを容易に行えるので、衛生上良好なものとなる。
【発明の効果】
【００１４】
本発明によれば、従来のデッドスペースを収納スペースに活用できて収納スペースが増大すると共に、入浴者の見えない場所に収納スペースが設けられているから、より一層快適な空間を提供することが可能となるものである。
【発明を実施するための最良の形態】
【００１５】
以下、本発明について添付図面に基づいて説明する。なお、上記背景技術に示した構成と同様の部分については、以下説明を省略する。便宜上、浴室内の浴槽７２の長手方向に直行する方向を左右方向とし、浴槽７２の長手方向に平行する方向を奥手前方向とする。
【００１６】
図１には本発明の一実施例としての浴室ユニット７の天井面１に設けられた収納部１１に棚板２を設置した天井収納付き浴室ユニットを示している。このものは、洗い場側床パン７１２の上方の天井面１において上方に突設した凹部からなる収納部１１が設置してあり、該収納部１１は天井面１と一体に形成してある。該収納部１１の上下方向の高さは少なくとも一般的なシャンプーなどが収容できる程度の高さに設けられている。該棚板２は収納部１１の左右方向の半部を奥手前方向全長に亘って塞ぐようにして且つ、天井面１と面一状に設置されており、棚板２が塞いでいない部分から手を挿通して、シャンプー等の小物である収納物Ｍを取出し又は収納できるように構成してある。なお、棚板２は天井面１と別体であっても一体であっても良いが、取り外し可能なように別体として設けた場合は、取り外して水洗い等清掃が可能となるので、衛生的にも良好となる。この場合の棚板２の取付け方法は特に限定されるものではないが、例えば、収納部１１と棚板２が接続される部分に突設する突片を設けて左右方向にスライド自在に嵌装しても良いし、ねじ等といった固着具を挿通して固着してもよい。
【００１７】
このような収納部１１は、浴室内の隠れた部分に収納物Ｍの収納ができるので、外観上良好となるものである。また、天井面１に一体に形成してあるので浴室内の高湿な空気が天井裏に漏れる心配がないものであると共に、浴室ユニット７据付時における作業性を向上させる。
【００１８】
図２には、本発明の別の実施例を示している。なお、本実施形態は図１に示す実施形態と大部分において同じであるため、同じ部分においては同符号を付して説明を省略し、主に異なる部分について説明する。
【００１９】
本実施形態においても天井面１には上方に突設した凹部からなる収納部１１を設置してあり、該収納部１１は天井面１と一体に形成してある。該収納部１１の左右方向の側面の開口部近傍には、上支持片４の一端が回動自在に取り付けられている。詳しくは、収納部１１の左右方向の両壁面の開口部近傍には上取着片１２が突設してあり、該上取着片１２と上支持片４の一端とが回動自在に軸支されている。該上取着片１２の突出長さは、上支持片４の左右方向の幅よりも若干長く形成されており、上支持片４が垂下した場合であっても収納部１１の側面に干渉しないようになっている。該収納部１１を閉塞できる大きさに形成された棚板２の上面の両側には下取着片２１が突設されると共に、該下取着片２１には下支持片３の一端が回動自在に軸支されている。さらに、該上支持片４と該下支持片３とが他端において回動自在に軸支されている。
【００２０】
また、天井面１の収納部１１の開口部の縁辺に凹設された段差部１３を設けており、棚板２が該段差部１３に嵌着して天井面１と面一になるように形成してある。
【００２１】
このように構成することで、棚板２が昇降可能となるのであり、棚板２上昇時には棚板２によって収納部１１の開口部を閉塞することができ、該棚板２下降時には棚板２に収納物Ｍを載置して収納することが可能となる。また、棚板２を下降させた状態で棚板２に該収納物Ｍを載置して収納可能な構成としたので、背丈の低い人であってもいす等の台を使用することなく容易に棚板２に該収納物Ｍを載置して収納することが可能となる。また、段差部１３を設けたことによって、棚板２上昇時に収納部１１を面一に閉塞できて天井面１と棚板２の一体感が増す。そうすることで、棚板２上昇時における外観が一層良好なものとなるのである。
【００２２】
図３には、本発明のさらに別の実施例を示している。なお、本実施形態は図２に示す実施形態と大部分において同じであるため、同じ部分においては同符号を付して説明を省略し、主に異なる部分について説明する。
【００２３】
本実施形態における浴室ユニット７においても、天井面１には上方に突設した凹部からなる収納部１１を設置してあり、該収納部１１は天井面１と一体に形成してある。前記上支持片４には、ダンパ又はばね材６の一端を取着する上取着部４１が形成されている。また、下支持片３にも同様にダンパ又はばね材６の他端を取着する下取着部３１が形成されている。そして、該上取着部４１にはダンパ又はばね材６の一端を回動自在に取り付けると共に、その他端を前記下取着部３１に回動自在に取り付けられている。
【００２４】
このように構成された収納部１１及び棚板２は、棚板２下降時における速度を緩和させる効果を有するので、棚板２に収納物Ｍが載置されていたとしても勢いよく下降することがなく、棚板２下降時における危険を回避することができる。また、ばね材６を用いた場合は、棚板２上昇時に使用者が棚板２を持ち上げる力を補助するようにばね材６による力が働くから、容易に棚板２を上昇することができる。
【００２５】
図４には、本発明のさらに別の実施例を示している。なお、本実施形態は図３に示す実施形態と大部分において同じであるため、同じ部分においては同符号を付して説明を省略し、主に異なる部分について説明する。
【００２６】
本実施形態における浴室ユニット７においても、天井面１には上方に突設した凹部からなる収納部１１を設置してあり、該収納部１１は天井面１と一体に形成してある。棚板２は前記下支持片３と着脱自在に設けて成るものであるが、詳しくは、棚板２の下取着片２１は略Ｌ字形状にて形成されており、下支持片３に設けられた軸部３２に係合されている。さらにその軸部３２が係合する部分には、不意に棚板２が脱着するのを防止する凹部からなる脱着防止部２１１を設けてある。これによって、予期しない棚板２の脱着及び落下を防止することができる。
【００２７】
このように構成することで、特にヌメリやカビ等の発生しやすい棚板２を取り外して容易に水洗いや清掃ができるので、衛生面においても非常に良好なものとなる。
【００２８】
なお、上述した実施形態における上支持片４と下支持片３の奥手前方向の取付け箇所や数量については特に限定されるものではなく、棚板２及び収納部１１の奥手前方向の長さによって適宜決定すれば良いものである。また、上支持片４と下支持片３の形状や材質は特に限定されるものではない。さらに、棚板２の下面には把持部を設けることによって、棚板２の昇降をより容易にすることができるのは勿論のことである。
【図面の簡単な説明】
【００２９】
【図１】本実施形態の浴室の天井面の断面図である。
【図２】他の実施形態の要部断面図である。
【図３】さらに他の実施形態の要部断面図である。
【図４】さらに他の実施形態の要部断面図である。
【図５】従来例の浴室ユニットの断面図である。
【符号の説明】
【００３０】
１      天井面
１１    収納部
２      棚板
７      浴室ユニット
７４    壁パネル
Ｍ      収納物
【図１】
2009235743.tif 000003
【図２】
2009235743.tif 000004
【図３】
2009235743.tif 000005
【図４】
2009235743.tif 000006
【図５】
2009235743.tif 000007